(57)【特許請求の範囲】
【請求項１】
パーソナライズされた拡張情報をユーザへ提供するための方法であって、
所定の空間に位置する物体を表示する情報である第１の情報をディスプレイ装置上に表示することであって、前記ディスプレイ装置は携帯通信デバイスの存在を検出するように適合されるか、または前記携帯通信デバイスは前記ディスプレイ装置の存在を検出するように適合され、前記携帯通信デバイスは、前記ユーザまたは前記ユーザの意図を示す前記ユーザのルーティングに関する情報を記憶するか、または入手可能であるように適合されることと、
前記ディスプレイ装置と前記携帯通信デバイスとの間の通信リンクを確立することと、
前記ユーザまたは前記ルーティングに関する情報が、前記第１の情報に関係するかを決定するために、前記第１の情報と、前記ユーザまたは前記ルーティングに関する情報とを比較することと、
前記ユーザまたは前記ルーティングに関する情報が前記第１の情報に関係する場合、前記第１の情報と第２の情報とを前記ディスプレイ装置上に表示することであって、前記第２の情報は、特定の位置、リソースまたは人に関連付けられる識別子を含むことと、
を含む、方法。
【請求項２】
前記ルーティングに関する情報が、前記第１の情報に関係するかを評価することは、前記ルーティングに関する情報が、環境内の特定の位置または特定のリソースまたは特定の人に関係するかを決定することを含み、
前記方法は、前記ルーティングに関する情報が、前記環境内の特定の位置または特定のリソースまたは特定の人に関係する場合、前記ディスプレイ装置へ前記第２の情報を送信すること、をさらに含む、請求項１に記載の方法。
【請求項３】
前記第１の情報は、前記ディスプレイ装置が内部に位置するかあるいは近接して位置する環境、または、前記環境内のリソース、あるいは人に関連付けられる携帯通信デバイスを表し、
ユーザに関連付けられる前記携帯通信デバイスは、前記ルーティングに関する情報を記憶するか、または入手可能であり、
前記比較において、前記ルーティングに関する情報が、前記環境内の特定の位置または特定のリソースまたは特定の人に関係するかが決定され、
そして、前記ルーティングに関する情報が、前記環境内の特定の位置または特定のリソースまたは特定の人に関係する場合、前記第１の情報および前記第２の情報を前記ディスプレイ装置上に表示し、
前記第２の情報は、前記特定の位置、リソースまたは人に関連付けられる識別子を含む、
前記第２の情報は、特定の位置、リソース、または人に関連付けられる識別子を含む、パーソナライズされた拡張位置情報を提供するための請求項１または２に記載の方法。
【請求項４】
前記第２の情報は、前記ユーザに関連付けられ、前記特定の位置、リソースまたは人の表示に関連して表示される識別子をさらに含む、請求項２または３に記載の方法。
【請求項５】
前記ディスプレイ装置は、その識別子をブロードキャストする通信ビーコンを有する、請求項１〜４のいずれか一項に記載の方法。
【請求項６】
前記通信ビーコンは、ブルートゥース（登録商標）ビーコン、好ましくはブルートゥース低エネルギー（Bluetooth  Low  Energy）ビーコンである、請求項５に記載の方法。
【請求項７】
前記ディスプレイ装置は、前記ディスプレイ装置または前記携帯通信デバイスの現在の位置から前記特定の位置、リソースまたは人へのルーティングを表示するように適合される、請求項２〜６のいずれか一項に記載の方法。
【請求項８】
前記携帯通信デバイスが前記ディスプレイ装置から所定の距離離されたことを検出し、それに応答して前記第２の情報の表示を終了することをさらに含む、請求項１〜７のいずれか一項に記載の方法。
【請求項９】
パーソナライズされた拡張情報をユーザへ提供するための携帯通信デバイスであって、前記携帯通信デバイスは、
前記ユーザの意図を示す前記ユーザのルーティングに関する情報を記憶するか、またはアクセス可能であり、
ディスプレイ装置の存在を検出し、
前記ディスプレイ装置との通信リンクを確立し、
前記ユーザまたは前記ルーティングに関する情報が、環境内の特定の位置または特定のリソースまたは特定の人に関係するかを決定するために、第１の情報と、前記ユーザまたは前記ルーティングに関する情報とを比較する、ように適合される、携帯通信デバイス。
【請求項１０】
前記ルーティングに関する情報が、前記環境内の特定の位置または特定のリソースまたは特定の人に関係する場合、前記ディスプレイ装置へ第２の情報を送信し、
前記第２の情報は、前記ユーザに関連付けられる識別子を含む、請求項９に記載の携帯通信デバイス。
【請求項１１】
パーソナライズされた拡張情報をユーザへ提供するためのディスプレイ装置であって、前記ディスプレイ装置は、
所定の空間に位置する物体を表示する情報である第１の情報であって、前記ディスプレイ装置が内部に位置するかあるいは近接して位置する環境、または、前記環境内のリソース、あるいは人に関連付けられる携帯通信デバイスを表す第１の情報を表示し、
携帯通信デバイスの存在を検出し、前記携帯通信デバイスは、前記ユーザまたは前記ユーザの意図を示す前記ユーザのルーティングに関する情報を記憶するか、または入手可能であるように適合され、
前記携帯通信デバイスとの通信リンクを確立し、
前記ユーザまたは前記ルーティングに関する情報が、環境内の特定の位置または特定のリソースまたは特定の人に関係するかを決定するために、前記第１の情報と、前記ユーザまたは前記ルーティングに関する情報とを比較し、
前記ユーザまたは前記ルーティングに関する情報が、前記環境内の特定の位置または特定のリソースまたは特定の人に関係する場合、前記ディスプレイ装置上に前記第１の情報と第２の情報を表示し、
前記第２の情報は、特定の位置、リソースまたは人に関連付けられる識別子を含む、ディスプレイ装置。
【請求項１２】
前記ディスプレイ装置は、前記携帯通信デバイスから、前記ユーザに関連付けられる識別子を含むさらなる１つの前記第２の情報と、前記特定の位置、リソースまたは人の表示に関連して前記第２の情報を表示することと、を受信するように適合される、請求項１１に記載のディスプレイ装置。
【請求項１３】
前記ディスプレイ装置は、その識別子をブロードキャストする通信ビーコン、好ましくはブルートゥースビーコン、より好ましくはブルートゥース低エネルギー（Bluetooth  Low  Energy）ビーコンを有する、請求項１１または１２に記載のディスプレイ装置。
【請求項１４】
パーソナライズされた拡張位置情報をユーザへ提供するためのシステムであって、前記システムは、請求項９又は１０に記載の携帯通信デバイスと、請求項１１〜１３のいずれか一項に記載のディスプレイ装置とを備える、システム。
【請求項１５】
携帯通信デバイスによって実行される、パーソナライズされた拡張情報をユーザへ提供するための方法であって、
前記ユーザまたは前記ユーザの意図を示す前記ユーザのルーティングに関する情報を記憶するか、または入手可能であることと、
ディスプレイ装置の存在を検出することと、
前記ディスプレイ装置との通信リンクを確立することと、
前記ユーザまたは前記ルーティングに関する情報が、環境内の特定の位置または特定のリソースまたは特定の人に関係するかを決定するために、第１の情報と、前記ユーザまたは前記ルーティングに関する情報とを比較することと、
を含む、方法。
【請求項１６】
ディスプレイ装置によって実行される、パーソナライズされた拡張情報をユーザへ提供するための方法であって、
所定の空間に位置する物体を表示する情報である第１の情報であって、前記ディスプレイ装置が内部に位置するかあるいは近接して位置する環境、または、前記環境内のリソース、あるいは人に関連付けられる携帯通信デバイスを表す第１の情報を表示することと、
携帯通信デバイスの存在を検出し、前記携帯通信デバイスは、前記ユーザまたは前記ユーザの意図を示す前記ユーザのルーティングに関する情報を記憶するか、または入手可能であるように適合され、
前記携帯通信デバイスとの通信リンクを確立することと、
前記ユーザまたは前記ルーティングに関する情報が、環境内の特定の位置または特定のリソースまたは特定の人に関係するかを決定するために、前記第１の情報と、前記ユーザまたは前記ルーティングに関する情報とを比較することと、
前記ユーザまたは前記ルーティングに関する情報が、前記環境内の特定の位置または特定のリソースまたは特定の人に関係する場合、前記ディスプレイ装置上に前記第１の情報と第２の情報を表示することと、を含み、
前記第２の情報は、特定の位置、リソースまたは人に関連付けられる識別子を含む、方法。
【発明の詳細な説明】
【技術分野】
【０００１】
本発明は、パーソナライズされた拡張位置情報を提供するための情報を収集するための方法に関する。
【０００２】
本発明はまた、ユーザに関連付けられた携帯通信デバイスに関する。
【０００３】
少なくとも半静止状態であり、上記ディスプレイが内部に位置するかあるいは近接して位置する環境、または、上記環境内のリソース、あるいは人に関連付けられる携帯通信デバイスを表す第１の情報を表示するように適合されるディスプレイ装置に関する。
【０００４】
本発明はまた、パーソナライズされた拡張位置情報を提供するための情報を収集するためのシステムであって、携帯通信デバイスおよびディスプレイ装置を備えるシステムに関する。
【背景技術】
【０００５】
会議の時間になったときにユーザが容易にリマインダを見ることが可能な「スマートウォッチ」により、一目でわかる情報を得ることが容易になった。しかし、小さなディスプレイにも限界があり、それら小さなディスプレイは、例えばマップのような大きなグラフィックスを視覚化するのにはあまり適していない。
【発明の概要】
【０００６】
本発明の目的は、パーソナライズされた拡張情報を提供するための情報を収集する方法を提供することである。
【０００７】
この目的は、パーソナライズされた拡張情報を提供するための情報を収集するための方法であって、
少なくとも半静止状態であり、第１の情報を表示するように適合されたディスプレイ装置を提供することと、
ユーザに関連付けられ、上記ユーザまたは上記ユーザの識別された意図に関する情報を記憶するか、または入手（access）可能な携帯通信デバイスを提供することと、
を含み、
上記ディスプレイ装置は、上記携帯通信デバイスの存在を検出するように適合されるか、またはその逆であり、
上記ディスプレイ装置および上記通信デバイスは、
通信リンクを確立し、
上記ユーザまたは上記ユーザの識別された意図に関する１つの情報が、特定の第１の情報に関係するかを評価し、
そして、上記ユーザまたは上記ユーザの識別された意図に関する１つの情報が特定の第１の情報に関係する場合、上記第１の情報と第２の情報とを上記ディスプレイ装置上に表示する、ように適合され、
上記第２の情報は識別子を含む、方法により達成される。
【０００８】
この方法は、下記の例では、パーソナライズされた拡張情報を提供するための情報を収集することを可能とする。レースにおけるトップ１０のマラソン走行結果のリストを表示するディスプレイを想像して欲しい。マラソンに参加したユーザが過去に歩くとき、その特定のユーザの結果、例えば、２７位にあり、通常はそこには存在しないであろう結果もまたディスプレイ装置に表示される。このようにして、この方法は、ユーザに関連付けられる情報に基づいて、通常のリストがパーソナライズされた情報を有するように拡張する。ユーザに関連付けられるこの情報は、例えば、ユーザがマラソンのエントリーフォームに記した電話番号であってもよい。また、名前、開始番号、またはアバタのような識別子を含む第２の情報をも表示することによって、その時にこの拡張された情報を複数のユーザのために表示することが可能である。
【０００９】
本発明のさらなる目的は、特に位置情報に関するパーソナライズされた拡張情報を提供するための情報を収集する方法を提供することである。
【００１０】
この目的は、パーソナライズされた拡張位置情報を提供するための情報を収集するための方法であって、
少なくとも半静止状態であり、上記ディスプレイが内部に位置するかあるいは近接して位置する環境、または、上記環境内のリソース、あるいは人に関連付けられる携帯通信デバイスを表す第１の情報を表示するように適合されたディスプレイ装置を提供することと、
ユーザに関連付けられ、上記ユーザの識別された意図に関する情報を記憶するか、または入手可能な携帯通信デバイスを提供することと、
上記ディスプレイ装置は、上記携帯通信デバイスの存在を検出するように適合されるか、またはその逆であり、
上記ディスプレイ装置および上記通信デバイスは、
通信リンクを確立し、
上記ユーザの識別された意図に関する１つの情報が、上記環境内の特定の位置または特定のリソースまたは特定の人に関係するかを評価し、
そして上記ユーザの識別された意図に関する１つの情報が、上記環境内の特定の位置または特定のリソースまたは特定の人に関係する場合、上記ディスプレイ装置上に上記第１の情報と第２の情報を表示し、
上記第２の情報は、特定の位置、リソースまたは人に関連付けられる識別子を含む、方法により達成される。
【００１１】
この方法では、パーソナライズされた拡張位置情報を大きなディスプレイに提供することが可能である。ディスプレイは、例えば建物の受付内、各フロア上、エレベータまたは階段室の内部またはその付近に設置される、大きなディスプレイであってよい。ディスプレイは、典型的には静止しているか、少なくとも半静止状態である。静止は、特にその環境に対して限定された動きに言及することに留意されたい。ディスプレイは、例えば、クルージング船内に配置され、廊下、キャビン、共有場所、およびクルージング船に搭載されたリソースから形成される環境を表示するように適合されてもよい。ディスプレイは船と一緒にある意味で移動可能であるが、第１の情報によって表される環境に対して静止している。
【００１２】
ユーザに関連付けられ、ユーザの識別された意図に関する情報を記憶するか、または入手可能な携帯通信デバイス。識別された意図は、例えば、意図されている位置と意図されている参加者についての情報を含むカレンダー内のアポイントメントであってもよい。識別された意図は、プロジェクタまたは他の共有リソース等のリソースの予約であってもよい。共有リソースは、カープール内の車であっても、レンタカーサービスからの車であってもよい。識別された意図は、「プロジェクタを受け取る」または「Ｍｒ  Ｘと話す」などのタスクのリストへのエントリであってもよい。識別された意図は、インターネット検索プロバイダを介してユーザによって実行された検索を監視することによって、または訪問されたウェブページを監視することによって、またはブックマークされたウェブページを監視すること等によって自動的に作成されてもよい。識別された意図は、通信デバイスに直接記憶された情報に関するものであってもよいし、通信デバイスを使用して実行されるアクションを介して自動的に作成されたものであってもよい。これに代えて、またはその補足として、識別された意図は、携帯通信デバイスに記憶された、または、携帯通信デバイスがアクセス（入手）可能な、他のユーザ関連デバイスで実行されるアクションから作成される情報に関し得る。アクセスは連続的であっても断続的であってもよい。
【００１３】
携帯通信デバイスを携行するユーザが、好適な実施形態ではビーコンとして動作するディスプレイ装置から所定の距離内に来ると、通信デバイスはディスプレイ装置の存在を検出し、通信リンクが確立される。
【００１４】
環境、または環境内のリソース、または人に関連付けられた携帯通信デバイス、に関連するデータまたは情報と、ユーザの識別された意図に関するデータまたは情報と、を比較することによって、通信デバイスおよび／またはディスプレイ装置は、ユーザの識別された意図に関する１つの情報が、環境内の特定の位置または特定のリソースまたは特定の人物に関係するか、を確認する。
【００１５】
これは、例えば、特定の会議室、すなわち位置が環境の一部として特定され、この会議室がユーザのカレンダー内のアポイントメントの意図された会議室として特定された場合であり得る。この比較は、好ましくは、アポイントメントに設定された時間が存在するかの確認と、実際の時間がアポイントメントに設定された時間から所定の範囲内にあるかを判断するための実際の時間との比較をも含む。
【００１６】
同じ会議の意図された参加者でもある別のユーザに関連付けられた通信デバイスが環境内にある場合にもまた、比較に対する肯定的な回答が意味され得る。
【００１７】
タスクリスト内で識別されるか、または他の方法で識別される別の人に関連付けられた通信デバイスが環境内にあると識別された場合にもまた、比較に対する肯定的な回答が意味され得る。
【００１８】
タスクリストまたはアポイントにおいて識別されたリソースが環境内にあると識別された場合にもまた、比較に対する肯定的な回答が意味され得る。
【００１９】
ユーザの識別された意図に関する１つの情報が、環境内の特定の位置または特定のリソースまたは特定の人に関係する場合、ディスプレイ装置は、上記第１の情報とは別に、特定の位置、リソースまたは人に関連付けられた識別子を含む第２の情報をも表示するように、適合される。
【００２０】
ディスプレイは、例えば、環境を示す地図を表示し、異なる色で会議室を表示し、そして会議室の名前を示すラベルを提供する。それによって、通常は地図を表示するディスプレイが、パーソナライズされた拡張位置情報を表示する。
【００２１】
好ましい実施形態は、従属請求項および明細書に記載されている。形式上の理由により、従属請求項が第１の独立請求項に言及することに留意されたいが、従属請求項に開示される任意の好ましい実施形態は、直接矛盾しない限り、任意の他の従属請求項に開示される任意の他の好ましい実施形態と組み合わせることができると考えられる。
【００２２】
第２の情報は、上記ユーザに関連付けられ、特定の場所、リソースまたは人の表示に関連して表示される識別子をさらに含んでもよい。ユーザに関連付けられる識別子は、例えば、いわゆるアバタ、ピクチャ（picture）、またはユーザに関連付けられる情報として当該ユーザによって認識可能な他の種類の情報であってもよい。
【００２３】
ユーザに関連付けられた識別子を使用することにより、ディスプレイ装置は、複数のユーザのパーソナライズされた拡張位置情報を同時に表示することが可能である。例えば、ディスプレイ装置は第１のユーザがアポイントメントを有する会議室の表現（representation）内に当該第１のユーザの識別子を表示し、第２のユーザによって予約されたリソースが位置する表現内に当該第２のユーザの識別子を表示する。
【００２４】
ディスプレイ装置は、その識別子をブロードキャストする通信ビーコンを有してもよい。ビーコン機能はエネルギーを取り出し、ディスプレイ装置は典型的にはメインに接続されているので、ビーコンはシステムのディスプレイ装置側に設けられることが好ましい。ビーコンはブルートゥースビーコンであってもよく、好ましくはブルートゥース低エネルギー（Bluetooth  Low  Energy）ビーコンである。あるいは、ディスプレイの付近にある通信デバイスの検出では、通信デバイスは、（例えば、複数のブルートゥース低エネルギービーコンを介して）他の測位方法を使用してその位置を見つけることができ、結果の位置座標を用いて、任意のディスプレイが近くにあるかを調べることができる。サーバまたはデバイス自体は、見るべき座標を持つディスプレイのリストを有し得る。ビーコンの代わりに、ＲＦＩＤリーダおよびタグが使用され得る。ＲＦＩＤの１つの利点は、タグが受動的に使用され得ることである。
【００２５】
ディスプレイ装置は、上記ディスプレイ装置または上記通信デバイスの現在の位置から上記特定の位置、リソースまたは人へのルーティングを表示するように適合されてもよい。
【００２６】
この方法によれば、上記通信デバイスが上記ディスプレイ装置から所定の距離だけ離されたことを検出し、それに応答して第２の情報の表示を終了することもできる。それにより、パーソナライズされた拡張位置情報は、ユーザがディスプレイ装置から離れるときには、もはや表示されない。これに代えて、またはその補足として、特定の時間枠の後に第２の情報の表示を終了することが可能である。
【００２７】
システムはまた、様々なレベルのプライバシーを提供し得る。いくつかの識別された意図は、ディスプレイ装置上に決して現れないように設定されてもよい。他の識別された意図は、他の誰も近くにいないと検出される場合に現れるように設定されてもよい。他の識別された意図は、他の人の存在に常に独立して現れるように設定されてもよいし、設定されなくてもよい。他の種類のプライバシー設定もまた使用され得る。
【００２８】
本発明のさらなる目的は、パーソナライズされた拡張位置情報を提供するための情報を収集するためにセットアップされた携帯通信デバイスを提供することである。
【００２９】
この目的は、ユーザに関連付けられる携帯通信デバイスであって、上記デバイスは、上記ユーザの識別された意図に関する情報を記憶するか、または入手可能であり、
ディスプレイ装置の存在を検出するように適合されるか、またはその逆であり、
上記通信デバイスは、上記ディスプレイ装置との通信リンクを確立し、上記ディスプレイ装置と共に、上記ユーザの識別された意図に関する１つの情報が、環境内の特定の位置または特定のリソースまたは特定の人に関係するかを評価する、ように適合される、携帯通信デバイスにより達成される。
【００３０】
その利点および機能は、上記方法に関して上述されている。
【００３１】
上記携帯通信デバイスは、上記ユーザの識別された意図に関する１つの情報が、上記環境内の特定の位置または特定のリソースまたは特定の人に関係する場合、上記ディスプレイ装置へ第２の情報を送信してもよく、上記第２の情報は、上記ユーザに関連付けられる識別子を含む。
【００３２】
本発明のさらなる目的は、パーソナライズされた拡張位置情報を提供するための情報を収集するためにセットアップされたディスプレイ装置を提供することである。
【００３３】
この目的は、少なくとも半静止状態であり、上記ディスプレイが内部に位置するかあるいは近接して位置する環境、または、上記環境内のリソース、あるいは人に関連付けられる携帯通信デバイスを表す第１の情報を表示するように適合されるディスプレイ装置であって、
上記ディスプレイ装置は、携帯通信デバイスの存在を検出するように適合されるか、またはその逆であり、上記通信デバイスは、ユーザに関連付けられ、上記ユーザの識別された意図に関する情報を記憶するか、または入手可能であり、
上記ディスプレイ装置は、上記通信デバイスとの通信リンクを確立し、
上記通信デバイスと共に上記ユーザの識別された意図に関する１つの情報が、前境内の特定の位置または特定のリソースまたは特定の人に関係するかを評価し、
上記ユーザの識別された意図に関する１つの情報が、上記環境内の特定の位置または特定のリソースまたは特定の人に関係する場合、上記ディスプレイ装置上に上記第１の情報と第２の情報を表示し、
上記第２の情報は、特定の位置、リソースまたは人に関連付けられる識別子を含む、ディスプレイ装置により達成される。
【００３４】
その利点および機能は、上記方法に関して上述されている。
【００３５】
上記ディスプレイ装置は、上記通信デバイスから、上記ユーザに関連付けられる識別子を含むさらなる１つの上記第２の情報と、上記特定の位置、リソースまたは人の表示に関連して上記第２の情報を表示することと、を受信するように適合されてもよい。
【００３６】
上記ディスプレイ装置は、好ましくは、その識別子をブロードキャストする通信ビーコンを有する。
【００３７】
上記ビーコンは、好ましくはブルートゥースビーコンであり、より好ましくはブルートゥース低エネルギー（Bluetooth  Low  Energy）ビーコンである。
【００３８】
上記ディスプレイ装置は、上記ディスプレイ装置または上記通信デバイスの現在の位置から上記特定の位置、リソースまたは人へのルーティングを表示するように適合されてもよい。
【００３９】
上記ディスプレイ装置は、上記通信デバイスが上記ディスプレイ装置から所定の距離離されたことを検出し、それに応答して上記第２の情報の表示を終了するように適合されてもよい。
【００４０】
本発明のさらなる目的は、パーソナライズされた拡張位置情報を提供するための情報を収集するためにセットアップされたシステムを提供することである。
【００４１】
この目的は、パーソナライズされた拡張位置情報を提供するための情報を収集するためのシステムであって、上述した任意の実施形態による携帯通信デバイスと、上述した任意の実施形態によるディスプレイ装置とを備えるシステムにより達成される。
【図面の簡単な説明】
【００４２】
本発明は、例として、本発明の現在の好ましい実施形態を示す添付の概略図を参照してより詳細に説明される。
【００４３】
【図１】図１は、フロアプランを概略的に開示する。
【図２】図２は、ディスプレイを概略的に開示する。
【図３】図３は、ディスプレイを概略的に開示する。
【図４】図４は、システムを概略的に開示する。
【図５】図５は、方法を概略的に示す。
【発明を実施するための形態】
【００４４】
図１は、ディスプレイ装置１２０が設置されるフロアプラン１００を開示する。図２〜図３には、ディスプレイ装置１２０の画面２００が示されている。
【００４５】
図１は実生活を描写しており、図２〜図３はディスプレイ装置１２０に表示された表現（representation）を描写している。実生活に存在するオブジェクトの参照番号は参照番号１ｘｘが与えられており、ディスプレイ上のそれらの表現には、該当する場合は、参照番号２ｘｘが与えられている。
【００４６】
図２に示されるように、ディスプレイ装置１２０は、フロアプラン１００の表現を通常表示し、フロアプラン１００の表現２００におけるディスプレイ装置１２０の位置をドット２２０または他の適切な形状で示すように構成される。
【００４７】
携帯通信デバイス１１１ａを携行する第１のユーザ１１０ａがディスプレイ装置１２０から所定の距離ｄ以内に来ると、通信デバイス１１１ａが、ディスプレイ装置１２０の存在を検出し、第１の通信デバイス１１１ａとディスプレイ装置１２０との間の第１の通信リンク１３０ａが確立される。
【００４８】
ディスプレイ装置１２０は、様々な会議室または他の共有リソースの名前および位置に関する情報を記憶するか、または入手可能である。例えば、環境内の会議室の名前に関するデータまたは情報を、ユーザのアポイントメント（所与の名前を持つ部屋での会議）に関するデータまたは情報と比較することによって、通信デバイス１１１および／またはディスプレイ装置１２０は、ユーザのアポイントメントに関する情報が環境内の会議室に関係するかを確認する。
【００４９】
環境１００が、ユーザ１０ａが会議に出席する予定の会議室１０２を含むことが確認されている場合、会議室１０２の表現２０２は、図３に示すようにディスプレイ１２１上に第２の情報２１１ａを関連付けることによって強調表示される。第２の情報２１１ａは、例えば、第１のユーザ１１１ａに関連付けられたアバタである。第２の情報２１１ａは、ディスプレイ１２１上の会議室１０２の表現２０２に重畳され、または関連して表示される。
【００５０】
同じ会議の意図された参加者でもある別のユーザ１１０ｃに関連付けられた通信デバイス１１１ｃが環境１００内にある場合にもまた、比較に対する肯定的な回答が意味され得る。
【００５１】
表現２００において、この他のユーザ１１０ｃは、通信デバイス１１１ｃの位置に関連付けられた位置にアバタ２１１ｃとして示されてもよい。タスクリスト内で識別されるか、または他の方法で識別された別の人に関連付けられた通信デバイスが環境内にあると識別された場合、比較に対する肯定的な回答に達する場合に同様の表現が用いられてもよい。
【００５２】
タスクリストまたはアポイントにおいて識別されたプロジェクタ等のリソース１４０が環境１００内にあると識別された場合にもまた、比較に対する肯定的な回答が意味され得る。表現２００では、リソース１４０の位置が例えば、リソース１４０の実際の位置１０３の表現２０３においてリソース１４０のピクチャ２４０によって表現される。複数のユーザがディスプレイ装置を同時に使用する場合、どのユーザがどのリソースを取り出すことを意図しているかを識別する情報を表示することが有用であり得る。図３の例では、ユーザ１１１ｂはリソース１４０を予約しており、ディスプレイ装置１２０は、リソース１４０の表現２４０に関連してアバタ２１１ｂを表現２００内に表示する。一般的に言えば、これらの、ユーザまたはリソースのアバタまたはピクチャは、特定の位置、リソースまたは人に関連付けられた識別子を含む第２の情報であると言える。
【００５３】
図４に簡単に示されるように、ディスプレイ装置１２０は、その識別子をブロードキャストする通信ビーコン１２２を有する。当該ビーコンはブルートゥースビーコン、好ましくはブルートゥース低エネルギー（Bluetooth  Low  Energy）ビーコンである。
【００５４】
図３に示されるように、ディスプレイ装置は、ディスプレイ装置または通信デバイスの現在の位置から特定の位置、リソースまたは人へのルーティング２５０を表示するように適合される。これは、大規模な場所や複雑な場所において有用であり得る。通信リンク１３０は、図３の線１３０によって示されるようにデバイスからデバイスへの直接的なものであってもよいし、あるいは図３の線１３１によって示されるようにクラウドサービスを介してもよい。クラウドサービス通信リンク１３０を使用するとき、情報は、別の通信リンク１３２を介してクラウドサービスとも通信するさらなるユニット１１２からもまた取り出され得る。
【００５５】
通信デバイス１１１がディスプレイ装置から所定の距離だけ離されると、好ましくはディスプレイ装置１２０によって、それが検出され、それに応答して、通信デバイス１１１に関連付けられる第２の情報の表示が終了される。
図５は、方法５００のステップを簡単に示し、方法５００は、
ディスプレイ装置１２０を提供するステップ５０１、
携帯通信デバイス１１１を提供するステップ５０２、
ディスプレイ装置１２０の近傍に携帯通信デバイス１１１が存在することを検出するステップ５０３、
ディスプレイ装置１２０と通信デバイス１１１との間の通信リンク１３０を確立するステップ５０４、
ユーザの識別された意図に関する１つの情報が、環境内の特定の位置または特定のリソースまたは特定の人に関係するかを評価するステップ５０５、および
上記第１の情報と、特定の位置、リソースまたは人に関連付けられる識別子を含む第２の情報と、を表示するステップ５０６、を含む。
【００５６】
本明細書に記載された実施形態の多くの変更があることが予期されるが、それらの変更は添付の特許請求の範囲によって規定される本発明の範囲内に依然として含まれる。ディスプレイ装置１２０は、例えば、会議の時間または会議の開始までの時間、現在の場所から会議室までの距離、会議室まで歩く予想時間等、通信デバイスおよび／またはディスプレイ装置のメモリから取り出される他の種類の情報を表示してもよい。
【図１】
0006663100.tif 000002
【図２】
0006663100.tif 000003
【図３】
0006663100.tif 000004
【図４】
0006663100.tif 000005
【図５】
0006663100.tif 000006